(57)【要約】【課題】フロアパネルを載せたままで支持脚を上下させるフロアパネルの支持装置において、装置自体を小形化できて操作もし易いものにする。【解決手段】基礎床面上に設置される接地板から雄ネジ体を立設した支持脚と、雄ネジ体に螺合する雌ネジ体を有してフロアパネルを支持する支持板と、からなるフロアパネルの支持装置において、雌ネジ体の上部に雄ネジ体との間に上方より回転工具が挿入できるスペースを有する工具嵌合穴を形成するとともに、工具嵌合穴の外周面に回転工具と噛合する噛合構造を施したことを特徴とするフロアパネルの支持装置。【選択図】　　　　図４
2004036133.tif 000002
【特許請求の範囲】
【請求項１】
基礎床面上に設置される接地板から雄ネジ体を立設した支持脚と、雄ネジ体に螺合する雌ネジ体を有してフロアパネルを支持する支持板と、からなるフロアパネルの支持装置において、雌ネジ体の上部に雄ネジ体との間に上方より回転工具が挿入できるスペースを有する工具嵌合穴を形成するとともに、工具嵌合穴の外周面に回転工具と噛合する噛合構造を施したことを特徴とするフロアパネルの支持装置。
【請求項２】
噛合構造が多角形である請求項１のフロアパネルの支持装置。
【請求項３】
雌ネジ体が支持板の内周にかしめ固定されるかしめナットで構成され、このかしめ工作と工具嵌合穴の噛合構造の形成が同時に行なわれる請求項１又は２のフロアパネルの支持装置。
【請求項４】
支持板には、フロアパネルを敷く敷板が被せられ、支持板と敷板の向合部位に、相互に係合する係合構造を設ける他、この係合構造を支持板の敷板に対する強制回動によって相互の係合が解かれるものにした請求項１〜３いずれかのフロアパネルの支持装置。
【請求項５】
係合構造が、敷板には、内方に突起する突起体が敷板の周端から下方に屈曲させて設けた垂下部に形成されたものであり、支持板には突起体を受け入れる外周から切れ込む切欠が形成されたものである請求項４のフロアパネルの支持装置。
【発明の詳細な説明】
【０００１】
【発明の属する技術分野】
本発明は、基礎床面とフロアパネルとの間に通信ケーブルや電力線を収容するスペースを確保してフロアパネルを支持するフロアパネルの支持装置に関するものであり、更に、詳しくは、フロアパネルを支持脚で支持した後であっても、フロアパネルの上方から高さ調整ができるフロアパネルの支持装置に関するものである。
【０００２】
【従来の技術】
フリーアクセスフロアにおけるフロアパネルは、支持脚によって基礎床面上に支持されるが、通常、基礎床面には不陸が発生していることから、支持脚を上下調整可能な構造にしてフロアパネルのレベルが出せるようにしている。又、ケーブル等の容量に応じてフロアパネルの高さを変える必要もあるが、これにも、支持脚を上下して対応している。この上下調整機構として、通常は、支持脚にネジ部を形成し、フロアパネルを支える支持板をこのネジ部に螺合してその高さを調節する構造をとっている。
【０００３】
この操作をするとき、フロアパネルを一々降ろしたりするのは面倒であるから、フロアパネルを載せたままで高さ調整ができるようにしている。具体的には、支持板のうちの支持脚のネジ部に螺合するネジ筒部分の外周を六角等に形成してここに工具を噛合できるようにしたもの（実開平２−６８９５７号公報及び実開平６−４９６３６号公報）、或いはネジ筒の上端にスリ割溝を形成してここにドライバー等を嵌合できるようにしたもの（実開平２−１２５１３５号公報）等がある。
【０００４】
【発明が解決しようとする課題】
前者の場合、六角形状がアルミのダイカスト等で形成されるためにその成形費が高くつくし（機械加工すれば更に高くなる）、又、ネジ加工を必要とするから、その分のコストも要し、結果的にコストの高いものとなる。更に、噛合構造がネジ筒の外周に形成されることから、これに噛合するレンチドライバー等の工具も大形になる。従って、これが挿入されるフロアパネルに形成される切欠孔等も大きくせざるを得ず、これに伴って支持脚も大形化する等の問題がある。
【０００５】
これに対して後者の場合は、マイナスドライバー等で操作できるから、それほど大形化はしない。しかし、コストがかかるスリ割加工やネジ加工は依然として必要とするし、支持脚（ネジ部）がネジ筒から突出しているような場合には、工具を噛合できず、高さ調整をすることができない。本発明は、このような課題を解決したものであり、工具とその嵌合穴の関係を小形で安価な構造にしたものである。
【０００６】
以上の課題の下、本発明は、請求項１に記載した、基礎床面上に設置される接地板から雄ネジ体を立設した支持脚と、雄ネジ体に螺合する雌ネジ体を有してフロアパネルを支持する支持板と、からなるフロアパネルの支持装置において、雌ネジ体の上部に雄ネジ体との間に上方より回転工具が挿入できるスペースを有する工具嵌合穴を形成するとともに、工具嵌合穴の外周面に回転工具と噛合する噛合構造を施したことを特徴とするフロアパネルの支持装置を提供する。
【０００７】
以上の手段をとることにより、即ち、雌ネジ体を回転させる回転工具を雄ネジ体周囲の雌ネジ体上部に形成された工具嵌合穴に挿入する内挿方式をとったものであるから、回転工具は小形のもので足りる。この結果、支持装置そのものも大形化させる必要はない。又、雄ネジ体が支持板の雌ネジ体から上方に突出していても、回転工具は工具嵌合穴に嵌合できて雌ネジ体を回転させられるから、高さ調整範囲を大きく設定できる。更に、回転工具が噛合する噛合構造は工具嵌合穴の外周面に形成されるものであるから、流通過程や施工時において、種々の物がこれに当たって傷を付けたりする事態が少ない。この場合の噛合構造は、回転力を伝えられるものであれば何でもよいが、請求項２に記載した、四角や六角の多角形であるのが一般的である。
【０００８】
更に、本発明は、以上のフロアパネルの支持装置において、請求項３に記載の、雌ネジ体が支持板の内周にかしめ固定されるかしめナットで構成され、このかしめ工作と工具嵌合穴の噛合構造の形成が同時に行なわれる手段を提供する。雌ネジ体は、かしめ固定される構造を必要とするものの、転造等で容易に成形できるナットであるから、支持板そのものにネジ切りや旋削といった切削加工を必要とせず、コスト安く製作できる。又、このようなかしめ工作によると、プレス加工等で噛合構造がかしめと同時に成形でき、この面からもコストを安くできる。
【０００９】
この他、本発明は、以上のフロアパネルの支持装置において、請求項４に記載した、支持板には、フロアパネルを敷く敷板が被せられ、支持板と敷板の向合部位に、相互に係合する係合構造を設ける他、この係合構造を支持板の敷板に対する強制回動によって相互の係合が解かれるものにした手段、請求項５に記載した、係合構造が、敷板には、内方に突起する突起体が敷板の周端から下方に屈曲させて設けた垂下部に形成されたものであり、支持板には突起体を受け入れる外周から切れ込む切欠が形成されたものである手段を提供する。
【００１０】
これらの手段により、即ち、支持板と敷板とは係合構造で係合しているとともに、この係合構造は、敷板に対する回転工具による支持板の強制回動によって相互の係合が解かれるものの、通常のフロアパネルの使用状態で付与される回転力程度では回動は規制されるものであるから、フロアパネルに対する繰り返し荷重や振動によって支持板は緩んで下がることはなく、パネルのガタ付きも床面（フロアパネルの上面を連ねた面）の凹凸も生じない。一方で、高さ調節等に際し、敷板を一定の向きにしたままで、支持板を回転工具で強制的に回して上下調整させるには、パネルは載せたままで、何ら支障なくできる。
【００１１】
【発明の実施の形態】
以下、本発明の実施の形態を図面を参照して説明する。図１は本発明の一例を示すフロアパネルの支持装置の斜視図、図２は平面図、図３は図２のＡＯＡ断面図、図４は回転工具による高さ調整の状態を示す図２のＡＯＡ断面図、図５は支持装置を構成する支持板の平面図であるが、このフロアパネルの支持装置は、基礎床面１上に置かれる支持脚２と、支持脚２に上下調整可能に支えられる支持板３と、支持板３に被せられてフロアパネル（以下、パネルという）４を載せる敷板５と、支持脚２に係合してパネル４を押さえつけるパネル押え６とからなる。
【００１２】
このうちの支持脚２は、基礎床面１に固定される接地板７の中央からパネル４を支持するのに十分な太さを有する雄ネジ体８を立設したものであり、本例では、接地板７の中央に孔９をあけ、この孔９に雄ネジ体８の頭部８ａをかしめる構造をとっている。但し、かしめ以外の固定法、例えば、溶接やビス止めであってもよい。接地板７は、金属製の薄板（厚さ１ｍｍ位）で構成されていることから、孔９を中心に放射状に延びる何本かの補強ビード１０を形成し、必要な強度を確保している。
【００１３】
接地板７は、パネル４の集合コーナー部に設置されるものであり、基礎床面１上での設置位置は決まっている。このため、角を面取りし、その中央に切込１１を設けておき、この切込１１を基礎床面１上に引く墨出し基準線に合わせるようにして位置決めしている。更に、接地板７は、接着剤によって基礎床面１上に固定されるが、この場合、多数の貫通孔１２を形成しておき、接着剤がこの貫通孔１２を通って表裏に連続するようにして固定の強化を図っている。尚、接地板７の固定は、コンクリート釘等による締結であってもよい。
【００１４】
支持板３は、上面周辺が平坦部１３、中央が凹陥部１４に形成された円板形のカップ体１５と、その中心に設けられる前記した雄ネジ体８に螺合できる雌ネジ体１６とからなる。本例の雌ネジ体１６は、かしめナット１６ａを使用するものであり、カップ体１５の中央にかしめ孔１７を形成し、このかしめ孔１７にかしめナット１６ａをかしめて固定している。支持板３も、金属板の成形品であり、この上に四枚のパネル４を載せても変形等しない程度の厚み（２〜３ｍｍ）や大きさに設定されている。
【００１５】
上記したかしめナット１６ａは、内周に雌ネジ部１６ｂが形成され、上面にその肉厚の真ん中辺りから筒状のかしめ部１６ｃが突設されたものであり、かしめ部１６ｃを支持板３に形成されたかしめ孔１７にかしめて固定するものである。このとき、かしめ部１６ｃの内周には、雄ネジ体８との間で上方から回転工具２９を嵌合させる工具嵌合穴３０が形成される。この回転工具２９は、支持脚２の雄ネジ体８を内部に収容可能な筒状部２９ａを先端に有し、パネル４の上方から先端をパネル４のコーナー部に形成された切欠３５に差し込み、敷板５の貫通孔１８を通って工具嵌合穴３０に嵌合させるものである。
【００１６】
このとき、回転工具２９の外周と工具嵌合穴３０の外周面（外郭を形成する面の表面のこと）とは互いに噛合する噛合構造４６を有しており、回転工具２９の上端に取り付けたハンドル２９ｂを持って回転させると、支持板３が回転してパネル４が上下する高さ調整ができるようになっている。尚、この回転工具２９は、パイプ体を用いて製作してもよく、この場合の筒状部２９ａは上下全長に亘って設けられるものとなる。依って、雄ネジ体８をかしめナット１６ａの上方へ大きく突出させた状態でも回転工具２９により高さ調整が可能となるから、かしめナット１６ａの上下長を小さく抑えたものを使用しても、高さ調整範囲を大きく設定できる。
【００１７】
次に、かしめナット１６ａのかしめ工作及び工具嵌合穴３０に対する噛合構造４６の形成について説明する。図７、図８はかしめ工作を行なう金型の断面図であるが、まず、かしめ部１６ｃを上向きにしてかしめナット１６ａを下型４０上にセットする。このとき、かしめナット１６ａの雌ネジ部１６ｂには下型４０の位置決めピン４０ａを挿入して位置決めしておく。続いて、かしめ部１６ｃの外周にカップ体１５に形成されたかしめ孔１７を嵌合する。以上で、かしめナット１６ａやカップ体１５の型へのセットは完了するから、次に、上型４１を降下させ、成形パンチ４１ａでかしめ部１６ｃを外方へ折り返しながらかしめ孔１７の周囲を巻き込んで圧締する。
【００１８】
すると、カップ体１５とかしめナット１６ａとはかしめられて一体化する（４１ｃはこの巻込みを可能にするために成形パンチ４１ａの先端部４１ｂの下面に形成された逃がし部）。このとき、同時に、かしめ部１６ｃの内周、即ち、工具嵌合穴３０の内周を成形パンチ４１ａの先端部４１ｂで所定の方向に押圧する等して回転工具２９が噛合できる噛合構造４６を形成する。この噛合構造４６としては、図９に示す四角形や図１０に示す六角形が一般的であるが、要は、回転工具２９が回転力伝達可能に噛合できる形状であればよい。この点で、楕円や長円といった形状でもよく、この場合、長軸は短軸よりも僅かに長いもので足りるから、回転工具２９の外径が大きくなる心配はない。尚、成形形状には角を丸めてあるが、これは、プレス加工がし易いようにしたものである。
【００１９】
敷板５は、下方に存する支持板３や上方に載せられるパネル４との金属接触を避けるためにＰＰ等の樹脂の成形品で構成されている。その形状は、中央に貫通孔１８が形成された本体部１９から張出部２０が周辺に円板形に張り出し、張出部２０の周端から垂下部２１が下方に屈曲しているものである。この場合、敷板５を支持板３の上に装着した場合、本体部１９は支持板３の凹陥部１４の底に当たり、張出部２０は支持板３の平坦部１３に接触する状態で被さる他、垂下部２１が平坦部１３の外方を所定隙間を保って覆う状態となる。
【００２０】
張出部２０の上面には、この上にパネル４を置いた場合、そのコーナー部の直角な側辺が当たって位置規制する四個の起立部２３が形成されており、その外方端部両側を張り出させてパネル４の側辺に当てるようにしている。この他、起立部２３の構造は、例えば、パネル４の底面に設けた嵌合孔に挿入可能なピン状のもの等、パネル４の水平方向の位置を規制するものであればよい。又、本体部１９外面の各起立部２３同士の中間位置に、パネル４のコーナー部先端の側辺に当てて位置規制する凸条１９ｂが形成されている。このように、パネル４のコーナー部において３点を当てるようにしてやれば、パネル４と敷板５の位置（角度）を正確に規制することができる。起立部２３を除く部位には、パネル４の底面を載せる平坦な載置部２４が形成されている。更に、本体部１９の貫通孔１８の径は、ここに挿入されて来るパネル押え６の外径と一致させてある。
【００２１】
図６はパネル押え６の一部断面側面図であるが、パネル押え６も、ＰＣ等の樹脂の成形品であり、中央に前記した雄ネジ体８に螺合できる雌ネジ部２５が形成された筒状の本体部２６の上部にパネル４のコーナー部に形成された低段部３４に沈み込むことができる鍔部２７が形成されたものである。又、本体部２６の上部中央には、これを回す工具が係合できる係合孔２８も形成されている。本例における係合孔２８は、ドライバー等が挿入できる長方形をしている。
【００２２】
ここで用いられるパネル４は、図３にみられるように金属製薄板のフラットな上面板３１に対して断面ハット形をした下面板３２を端部でかしめて一体化したものであり、下面板３２の起立壁３３は、上面板３１の端から所定長さ控えたものである。従って、敷板５の起立部２３に当たる側辺は、この下面板３２の起立壁３３ということになる。更に、上面板３１のコーナー部には、低段部３４が形成されているとともに、その端は、四分の一円形状に切り欠かれた切欠３５を形成している。
【００２３】
この場合の切欠３５の大きさは、パネル押え６の本体部２６の挿入を許容するものにしてあり、その本体部２６は、この切欠３５が集合した円形孔に入り込んで鍔部２７が低段部３４を押え付けるものとなるようにしてある（この場合の鍔部２７の厚みと低段部３４の深さは、ほぼ同じにして鍔部２７が低段部３４から飛び出ないようにしてある）。尚、このときの低段部３４の底面は、パネル押え６の締め込みによって敷板５の本体部１９の頂面に形成された凹陥穴１９ａに押し当てられており、パネル押え６のそれ以上の締め込みが規制される。結局、低段部３４は弾性変形した状態でパネル押え６と敷板５とで上下から挟圧されて固定されるものとなり、パネル押え６の緩み止め効果を発揮する。又、凹陥穴１９ａに低段部３４を嵌め込むことで、更なるパネル４の水平方向の位置規制を行うようにしている。
【００２４】
以上の各機器を用いてパネル４を敷設するのであるが、ここでその手順の概略を説明しておく。先ず、基礎床面１上に引いた墨出し基準線を基に、支持板３を規定高さよりも低く取り付けた支持脚２のそれぞれを所定の位置に固定する作業を行なう。次に、敷板５が所定の向きになるよう支持板３を回して規定の高さまで上げる。ここで、支持板３の上昇高さは、基礎床面１の不陸等を考慮したものであり、支持板３のレベルはおおよそ揃えられる。
【００２５】
次いで、敷板５の上にパネル４を敷いて行くのであるが、この際、パネル４のコーナー部の起立壁３３を二つの起立部２３の間に挿入して底面（下面板３２）を載置部２４の上に載せて位置を合わせ、最後に、パネル押え６を支持板３の貫通孔１８に挿入してその雌ネジ部２５を支持脚２の雄ネジ体８に螺合し、鍔部２７と敷板５とでパネル４の低段部３４を強く挟圧する。このときパネル４は敷板５に添うよう若干変形するので、支持板３の高さや傾き、パネル４の厚み等に多少のバラツキがあっても吸収することができる。
【００２６】
一方、パネル４の敷設後、パネル４に繰り返し荷重等がかかって支持板３が下方に移動する方向に回動したとすると、パネル４が下がって他のパネルとの間に凹凸が生じたり、パネル４と敷板５又は鍔部２７との間に隙間が生じ、ガタ付きや音鳴りが発生したりする。又、パネル４を新設するその敷設時にも、支持板３の高さを再度調整する必要に迫られることもある。このようなとき、支持板３上のパネル４枚全てを除去するのは非常に面倒であるから、本発明は、以下のようにしてパネル４を据えたままで高さ調整ができるようにしたものである。
【００２７】
即ち、パネル押え６を取り外し、そこにできた貫通孔１８から回転工具２９の筒状部２９ａを挿入して工具嵌合穴３０の噛合構造４６に噛合させる。次いで、ハンドル２９ｂを回すと、その分だけ、パネル４は上がり又は下がるから、この操作を必要量だけ行なえばよい。以上の操作が終了すると、再度パネル押え６を雄ネジ体８に螺じ込み、貫通孔１８を塞げばよい。ところで、このとき、支持板３と敷板５との向合部位には、相互に係合する係合構造３６が設けてあるから、以下、この点を上記の操作に関連付けて説明する。
【００２８】
パネル４の敷設に際しては、支持板３をこれに被せられる敷板５の起立部２３の側面方向がパネル４の側辺方向と平行になる正規の向きになるよう回転させ、この状態にしてパネル押え６で締め付けるのは上述したとおりである。この正規状態にすると、支持板３の向きも拘束されるから、その高さは、厳密には設定高さと違ってくることがあるが、雄ネジ体８と雌ネジ体１６の螺合部にはガタ（隙間）があり、基礎床面１の不陸によって支持脚２には傾きも生じているから、厳密に設定高さに合わせることは現実には不可能である。しかし、パネル押え６を締め込むことで、パネル４が若干変形して多少のバラツキは吸収されるし、又、雄ネジ体８のネジのピッチは、支持体３を９０°回しても０．２ｍｍ程度しか高さが変化しない小さいものであるから、この程度の誤差は吸収できる。
【００２９】
この場合の係合構造３６は、工具等による敷板５に対する支持板３の強制回動は許容し、通常のパネル４の使用状態における回動は規制するものである。図２に係合構造３６の一例を示しているが、敷板５の垂下部２１等に内方に突起する突起体３７を形成したものであり、支持板３にこの突起体３７を受け入れる外周から切れ込む切欠３８を形成したものである。この場合において、切欠３８の傾斜面を支持板３の回動を規制する急なものとしている。その一方で、切欠３８と外周との接続部をアール形状とし、又、突起体３７の断面形状を半円形状とし、更には、突起体３７の上方の載置部２４に窓３９を設けたり、垂下部２１を樹脂によって構成する等して、支持板３を回転工具２９によって回転させた際には、突起体３７を切欠３８から遠ざける方向に変位させて係合を解くことができるようにしている。
【００３０】
これにより、突起体３７が切欠３８に入り込むと、通常のパネル４の使用状態において繰り返し荷重や振動が作用しても、支持板３の回動は規制されるから、支持板３が低下してパネル押え６に対して緩まない。一方で、敷板５の高さを調節するときには、敷板５上に何枚かのパネル４を載せた状態等、敷板５の向きを一定にして支持板３を上昇又は下降させようとするときも、敷板５はそのままで支持板３のみを回すこともできるから支障を来さない。尚、支持板３を回しての敷板５の高さ調整は、突起体３７と切欠３８が合致した位置にするのが標準であるが、係合構造３６は節動感（ディタント感）をもって係合するので、係合位置がわからないといった心配はない。但し、突起体３７上方の載置部２４に形成した窓３９によって目視で確認することもできる。
【００３１】
この場合、信頼性を高めるために、係合構造３６は複数個所に設けるのがよい。具体的には、突起体３７、切欠３８共に複数個設け、しかも、一つの突起体３７が特定の切欠３８に嵌まり込んだ場合、他の突起体３７も他の切欠３８に嵌まり込むように位相を合わせておくのが好ましい。本例では、切欠３８は６０°間隔で６個、突起体３７は１８０°間隔で２個設けているが、勿論、これにこだわらない。
【００３２】
更に、図示は省略するが、以上の係合構造３６の他にも、切欠３８の傾斜面が支持板３が上昇する方向へはその強制回動を積極的に許容する緩なものであり、下降する方向へは前記実施例と同様に急なものにすることも考えられる。これにより、通常のパネル４における使用状態における支持板３の下降方向の回動は前記実施例と同様に規制される。一方で、敷板５の高さを調整しようとするときには、即ち、敷板５上に何枚かのパネル４を載せたままの状態等、敷板５の向きを一定にして支持板３を上昇させようとするときには、前記実施例に比べて軽い操作力で支持板３のみを回すことができる。勿論、支持板３を強制的に回転工具２９によって回動下降させようとするときには、前記実施例と同様に行うことができる。更に、図示は省略するが、以上の係合構造３６は、支持板３と敷板５の重合載置面に形成してもよい。
【００３３】
更に、パネル押え６が支持板３に対して単独で緩むことも考えられ、そうなると、同様に支持板３にガタが発生する。そこで、本発明では、パネル押え６と敷板５との間に緩み防止構造４２を施している。本例の緩み防止構造４２は、敷板５の貫通孔１８の内周に何個かの突起４３を形成し（図３、図５）、パネル押え６の本体部２６の外周にこの突起４３が入り込むことができる溝４４を形成したものである（図６）。
【００３４】
この場合、突起４３の両隣には凹陥部４５を形成し、本体部２６の外周が通過するときには変形して突起４３が外方へ退避できるようにして雄ネジ体８への締緩操作のときの抵抗を少なくしている。尚、パネル押え６のネジ込み終了位置は、この突起４３と溝４４とが合致した位置が好ましいが、途中であってもかまわない。この場合、パネル押え６が緩むと、いずれかの突起４３と溝４４が合致し、それ以上の緩みに歯止めがかかる。この意味から、突起４３と溝４４は、位相を合わせてそれぞれ複数個設けるのがよい。
【００３５】
図１１は支持装置の他の一例を示す斜視図であるが、本例に用いられる支持脚２は、接地板７の角部にゴム等の緩衝材４７を取り付けたもので、接地板７を基礎床面１に固定しないものである。緩衝材４７の存在により、基礎床面１の不陸や傾斜によって接地板７との間に多少の隙間が生じても、ガタ付き音を発生させない。接地板７を接着剤等で固定しないのであるから、支持脚２を取り外した後の基礎床面１の修復作業等を必要とせず、リニューアル等が行い易い支持脚２となる。
【００３６】
【発明の効果】
以上、本発明は、上記したものであるから、即ち、支持板の雌ネジ体を回転させる回転工具を雄ネジ体周囲の雌ネジ体の上部に形成された工具嵌合穴に挿入する内挿方式をとったものであるから、回転工具は小形のもので足りる。この結果、支持装置そのものも大形化しない。又、雄ネジ体が支持板の雌ネジ体から突出していても、回転工具は工具嵌合穴に嵌合できて雌ネジ体を回転させられるから、高さ調整範囲を大きく設定できる。更に、回転工具が噛合する噛合構造は工具嵌合穴の外周面に形成されるものであるから、流通過程や施工時において、種々の物がこれに当たって傷を付けたりする事態が少ない。
【図面の簡単な説明】
【図１】本発明の一例を示すフロアパネルの支持装置の設置状態の斜視図である。
【図２】本発明の一例を示すフロアパネルの支持装置の設置状態の平面図である。
【図３】本発明の一例を示すフロアパネルの支持装置の設置状態の一部断面側面図である。
【図４】本発明の一例を示すフロアパネルの支持装置の高さ調整の状態の一部断面側面図である。
【図５】本発明の一例を示すフロアパネルの支持装置を構成する支持板の平面図である。
【図６】本発明の一例を示すパネル押えの一部断面側面図である。
【図７】本発明の一例を示す支持板を形成する金型の断面側面図である。
【図８】本発明の一例を示す支持板を形成する金型の断面側面図である。
【図９】本発明の一例を示す支持板を成形する金型の拡大断面底面図である。
【図１０】本発明の他の一例を示す支持板を成形する金型の拡大断面底面図である。
【図１１】本発明の他の一例を示すフロアパネルの支持装置の設置状態の斜視図である。
【符号の説明】
１　　基礎床面
２　　支持脚
３　　支持板
４　　フロアパネル
５　　敷板
６　　パネル押え
７　　接地板
８　　雄ネジ体
８ａ　　　〃　の頭部
９　　孔
１０　補強ビード
１１　切込
１２　貫通孔
１３　平坦部
１４　凹陥部
１５　カップ体
１６　雌ネジ体
１６ａかしめナット
１６ｂ雌ネジ部
１６ｃかしめ部
１７　かしめ孔
１８　貫通孔
１９　本体部
１９ａ　〃　の凹陥穴
１９ｂ　〃　の凸条
２０　張出部
２１　垂下部
２３　起立部
２４　載置部
２５　雌ネジ部
２６　本体部
２７　鍔部
２８　係合部
２９　回転工具
２９ａ　　〃　の筒状部
２９ｂ　　〃　のハンドル
３０　工具嵌合穴
３１　上面板
３２　下面板
３３　起立壁
３４　低段部
３５　切欠
３６　係合構造
３７　突起体
３８　切欠
３９　窓
４０　下型
４０　　〃の位置決めピン
４１　上型
４１ａ　〃の成形パンチ
４１ｂ　〃の先端部
４１ｃ　〃の逃がし部
４２　緩み防止構造
４３　突起
４４　溝
４５　凹陥部
４６　噛合構造
４７　緩衝材
【図１】
2004036133.tif 000003
【図２】
2004036133.tif 000004
【図３】
2004036133.tif 000005
【図４】
2004036133.tif 000006
【図５】
2004036133.tif 000007
【図６】
2004036133.tif 000008
【図７】
2004036133.tif 000009
【図８】
2004036133.tif 000010
【図９】
2004036133.tif 000011
【図１０】
2004036133.tif 000012
【図１１】
2004036133.tif 000013